(57)【要約】【課題】同じリールおよびスプールを用いて、実釣りにおける様々な状況変化に十分対応することのできるドラグ性能特性を選択可能とした魚釣用リールを提供すること【解決手段】リール本体１２に設けた支軸２０に、スプール２２を回転自在に装着し、スプールの凹部２３内に配置した摩擦装置３６を、支軸に回り止めされた押圧板３８を介してスプール２２に押圧し、押圧板３８とスプール２２との間の互いに摩擦係合する少なくとも一対の摩擦係合面により、支軸２０に対するスプール２２の摩擦結合力を形成するドラグ装置２４を備え、スプール２２に回り止めされるスプール側摩擦板４４と、支軸２０に回り止めされる支軸側摩擦板４２との一方の回り止めを解除可能に形成し、スプール側摩擦板４４と支軸側摩擦板４２とを回り止めした強制動モードと、スプール側摩擦板４４と支軸側摩擦板４２との一方の回り止めを解除した弱制動モードとに切換え可能な魚釣用リール。【選択図】    図２
2004298006.tif 000002
【特許請求の範囲】
【請求項１】
リール本体に設けた支軸に、釣糸を巻回するスプールを回転自在に装着し、このスプールの軸方向に開口する凹部内に配置した摩擦装置を、前記支軸に回り止めされた押圧板を介してスプールに押圧し、前記摩擦装置を介挿した押圧板とスプールとの間に配置されかつ互いに摩擦係合する少なくとも一対の摩擦係合面により、前記支軸に対するスプールの摩擦結合力を形成するドラグ装置を備えた魚釣用リールであって、
前記摩擦装置は、押圧板とスプールとの間に、スプールと回り止めされるスプール側摩擦板と、支軸と回り止めされる支軸側摩擦板とを交互に配置し、前記スプール側摩擦板と支軸側摩擦板との少なくとも一方の回り止めを解除可能に形成し、前記スプール側摩擦板をスプールに回り止めしかつ前記支軸側摩擦板を支軸に回り止めすることにより、前記押圧板とスプールとの間に複数対の摩擦係合面を形成する強制動モードと、前記スプール側摩擦板と支軸側摩擦板との少なくとも一方の回り止めを解除することにより、強制動モードよりも少ない対の摩擦係合面を形成する弱制動モードとに切換え可能としたことを特徴とする魚釣用リール。
【請求項２】
前記回り止めは、スプールと支軸との一方に着脱自在に装着されるロック部材と、スプール側摩擦板と支軸側摩擦板との一方に形成されて、前記固定ピンに嵌合される係止部とを有し、このロック部材と係止部との嵌脱を、リール本体の外部から操作可能な制動モード切換機構で制御可能としたことを特徴とする請求項１に記載の魚釣用リール。
【発明の詳細な説明】
【０００１】
【発明の属する技術分野】
本発明は、特に釣糸が巻回されるスプールの回転に抵抗力を付与するドラグ装置を備えた魚釣用リールに関する。
【０００２】
【従来の技術】
一般に、ドラグ装置を備えた魚釣用リールは、リール本体に設けた支軸に、釣糸を巻回するスプールを回転自在に装着し、このスプールの軸方向に開口する凹部内に配置した摩擦装置を、支軸に回り止めされた押圧板を介してスプールに押圧し、摩擦装置を介挿した押圧板とスプールとの間に配置されかつ互いに摩擦係合する少なくとも一対の摩擦係合面により、支軸に対するスプールの摩擦結合力を形成する。
【０００３】
このような魚釣用リールには、摩擦装置を形成する複数のワッシャをスプールに着脱可能なカセット式に形成し、実釣に必要なドラグ機能を付与すると共に、競技あるいは遠投等を行う場合には、これらのワッシャを取外してスプールと支軸とを一体的に結合可能としたものがある（例えば特許文献１および特許文献２参照）。
【０００４】
このような魚釣用リールによると、ドラグ装置を装備したスプールユニットやドラグ装置を持たないリール等の種々の用具を用意することなく、１つの魚釣用リールで、ドラグ機能を有する魚釣用リールとドラグ機能を持たない魚釣用リールとの双方を兼用することができる。
【０００５】
【特許文献１】
実公昭５５−１７８２４号公報
【０００６】
【特許文献２】
実公昭５７−１９９８５号公報
【０００７】
【発明が解決しようとする課題】
しかし、上述のようなドラグ機能の使用状態と、ドラグ機能の使用不能状態とを切換えるとしても、ドラグ機能の制動特性を変更することはできない。このため、釣対象魚あるいは釣法等によって、強い制動力・粘りが必要とされる場合や、強い制動力は必要ないが滑らかな滑り出しと釣糸張力の変動が少ない制動力が必要な場合等の実釣りにおける様々な状況変化に対応させることはできない。
【０００８】
本発明は、このような事情に基づいてなされたもので、同じリールおよびスプールを用いて、実釣りにおける様々な状況変化に十分対応することのできるドラグ性能特性を選択可能とした魚釣用リールを提供することを目的とする。
【０００９】
【課題を達成するための手段】
上記目的を達成する本発明の魚釣用リールは、リール本体に設けた支軸に、釣糸を巻回するスプールを回転自在に装着し、このスプールの軸方向に開口する凹部内に配置した摩擦装置を、前記支軸に回り止めされた押圧板を介してスプールに押圧し、前記摩擦装置を介挿した押圧板とスプールとの間に配置されかつ互いに摩擦係合する少なくとも一対の摩擦係合面により、前記支軸に対するスプールの摩擦結合力を形成するドラグ装置を備えた魚釣用リールであって、前記摩擦装置は、押圧板とスプールとの間に、スプールと回り止めされるスプール側摩擦板と、支軸と回り止めされる支軸側摩擦板とを交互に配置し、前記スプール側摩擦板と支軸側摩擦板との少なくとも一方の回り止めを解除可能に形成し、前記スプール側摩擦板をスプールに回り止めしかつ前記支軸側摩擦板を支軸に回り止めすることにより、前記押圧板とスプールとの間に複数対の摩擦係合面を形成する強制動モードと、前記スプール側摩擦板と支軸側摩擦板との少なくとも一方の回り止めを解除することにより、強制動モードよりも少ない対の摩擦係合面を形成する弱制動モードとに切換え可能としたことを特徴とする。
【００１０】
【発明の実施の形態】
図１から図５は本発明の好ましい実施形態による魚釣用リール１０の全体を概略的に示す。
図１に示すように、魚釣用リール１０は、リール本体１２と、リール本体１２から延出する脚部１２ａと、脚部１２ａの端部に形成され且つ図示しない釣竿に取り付けられる竿取付部１２ｂとを有している。リール本体１２内にはハンドル軸１４が回転可能に支持されており、リール本体１２から突出するハンドル軸１４の端部にはハンドル１５が固定されている。
【００１１】
ハンドル軸１４のリール本体１２内に配置される部位には、図示しないドライブギアが取り付けられており、このドライブギアに、ハンドル軸１４に対して直交する方向に延在し且つ軸受けを介してリール本体１２内に回転可能に支持された円筒状構造のピニオンギア（図示しない）が噛合している。このピニオンギアの先端部には、ベール１６および釣糸案内装置１７を備えたロータ１８が一体的に取り付けられている。
【００１２】
また、このピニオンギア内には、支軸（スプール軸）２０が摺動可能に支持されており、上述のドライブギアを介してハンドル軸１４で作動されるオシレーティング機構（図示しない）により、軸方向に沿う一定のストロークで往復駆動することができる。この支軸２０の先端には、釣糸が巻回されるスプール２２が着脱可能に取付けられ、支軸２０と共にこのハンドル軸１４と直交する方向に往復動することができる。
【００１３】
したがって、この魚釣用リール１０は、ハンドル１５を回転操作してハンドル軸１４を回転させると、オシレーティング機構および支軸２０を介してスプール２２が前後に一定ストロークで往復動するとともに、ドライブギアおよびピニオンギアを介してロータ１８が回転する。これにより、ロータ１８に設けられた釣糸案内装置１７を介して、スプール２２に釣糸が均等に巻回される。
【００１４】
本実施形態の魚釣用リール１０には、フロントドラグ方式のドラグ装置２４を設けてあり、スプール２２に制動力を付与しながらスプール２２の釣糸繰り出し方向への回転を許容する（スプールの回転力を制御する）。このスプール２２は、ピン２６を介して支軸２０に回り止め固定された支持部材２８上に、軸方向に離隔した一対のベアリング３０を介して回転自在に支持され、ドラグ装置２４により、この支持部材２８の後端側フランジ部に回転不能に固定されたライニング材を兼ねる圧接板３２に押圧されている。
【００１５】
図２および図４に詳細に示すように、このドラグ装置２４は、支軸２０の先端に螺合されるドラグ調節ツマミ３４と、スプール２２の軸方向に開口する凹部２３内に配置した摩擦装置３６と、この摩擦装置３６を圧接板３２に押圧する押圧板３８とを備える。この押圧板３８は、支持部材２８に回り止めされかつこの支持部材２８上を軸方向に移動可能に装着してあり、本実施形態ではスプール２２に回り止めされた摩擦装置３６を介して圧接板３２との間で、スプール２２の支持壁２１を挟み込み、支持部材２８および支軸２０に対するスプール２２の摩擦結合力を形成する。
【００１６】
この摩擦装置３６に対する押圧板３８の押圧力は、ドラグ調節ツマミ３４と押圧板３８との間に配置した圧縮バネ４０の付勢力で形成され、この押圧力はドラグ調節ツマミ３４で調節することができる。すなわち、ドラグ調節ツマミ３４を支軸２０に捩じ込むと、この捩じ込み量に応じたバネ４０の押圧力で、スプール２２が支持部材２８上に支えられた圧接板３２に押圧され、支軸２０に対するスプール２２の回転が規制される。逆に、ドラグ調節ツマミ３４を緩めると、その緩め具合に応じて、スプール２２の制動抵抗が低下し、支軸２０に対して回転し易くなる。
【００１７】
本実施形態の摩擦装置３６は、内周部を支持部材２８に回り止め嵌合された金属製の支軸側摩擦板４２と、外周部をスプール２２に回り止めされたスプール側摩擦板４４とを有する多板構造に形成されている。支軸側摩擦板４２およびスプール側摩擦板４４をそれぞれ２枚以上設けてもよく、これらの支軸側摩擦板４２とスプール側摩擦板４４とを交互に配置し、互いに対向する摩擦係合面間には、例えば０．５〜１．５ｍｍ程度の厚さのライニング材５０を介挿する。これらの摩擦係合面間に介挿したライニング材５０は、対向する摩擦係合面の一方に接着固定してもよく、あるいは、いずれの摩擦係合面にも固定することなく、ライニング材５０のみを交換可能としてもよい。
【００１８】
この支持部材２８と支軸側摩擦板４２との間の回り止めは、支軸側摩擦板４２の中央部に形成した装着孔を、支持部材２８の外周面の非円形形状（図３および図５参照）に対応した非円形形状に形成し、支持部材２８の非円形形状の外周面に、支軸側摩擦板４２の非円形形状の装着孔を嵌合することにより、行っている。
【００１９】
また、このスプール側摩擦板４４とスプール２２との間の回り止めは、スプール２２の支持壁２１を貫通して凹部２３内にその先端部が突出する本実施形態では４本の固定ピン４６（ロック部材）と、スプール側摩擦板４２の外周部に形成され、この固定ピン４６に嵌合可能な４つの係止溝４５（係止部）とで行っている。ロック部材としての固定ピン４６は、基部に形成した雄ねじ４６ａを支持壁２１の貫通孔２１ａに形成した雌ねじに螺合することにより、スプール２２に対して着脱自在となっている。
【００２０】
なお、支軸側摩擦板４２の外径は、固定ピン４６をスプール２２に取付けたときに、この固定ピン４６と干渉しない大きさに形成してある。この固定ピン４６の配置位置を可能な限りスプール２２の半径方向外方に配置するため、スプール２２の凹部２３を区画する内周面に固定ピン４６の一部を受入れ可能な軸方向溝４９を形成することが好ましい。
【００２１】
この摩擦装置３６は、固定ピン４６を係止部すなわち係止溝４５に嵌合してスプール側摩擦板４４をスプール２２に回り止め固定すると、押圧板３８と支持壁２１との間で３対の摩擦係合面を形成する。すなわち、スプール側摩擦板４４と押圧板３８との間、スプール側摩擦板４４と支軸側摩擦板４２との間、および、支持壁２１と支軸側摩擦板４２との間がそれぞれ摩擦係合面の対を形成し、これにより、強い制動力・粘りを形成する強制動モードで作用することができる。
【００２２】
一方、スプール側摩擦板４４の回り止めを解除した場合、すなわち固定ピン４６をスプール２２の貫通孔２１ａに対して後端側に移動し、固定ピン４６とスプール側摩擦板４４の係止溝４５との嵌合を解除すると、スプール側摩擦板４４は、押圧板３８と支軸側摩擦板４２との間に挟持され、押圧板３８と支軸側摩擦板４２とに固定された状態となり、支軸側摩擦板４２と支持壁２１との間が摩擦係合面の対を形成する。これにより、摩擦装置３６は、押圧板３８と支持壁２１との間で一対の摩擦係合面を形成する。すなわち、支持壁２１と支軸側摩擦板４２との間が摩擦係合面の対を形成し、これにより、滑らかな滑り出しと釣糸張力の変動が少ない弱制動モードで作用することができる。
【００２３】
なお、スプール側摩擦板４４の回り止めを解除する場合、固定ピン４６と係止溝４５との係合が解除できればよく、このため、図４に示すように、固定ピン４６をスプール２２の支持壁２１から完全に除去することは必ずしも必要ない。固定ピン４６の軸方向移動を防止した状態であれば、固定ピン４６の雄ねじ４６ａを貫通孔２１ａに部分的に螺合させたままであってもよい。
【００２４】
この魚釣用リール１０のドラグ装置２４を、図１から図３に示す強制動モードあるいは図４および図５に示す弱制動モードに切換える場合は、支軸２０からドラグ調整ツマミ３４を取外し、押圧板３８および摩擦装置３６と共にスプール２２を支持部材２８上から抜出す。この状態でスプール２２のスカート側から固定ピン４６を操作することができる。また、スプール側摩擦板４４は支持部材２８上を回動自在であるため、係止溝４５をスプール２２の軸方向溝４９に容易に位置合わせすることができる。また、各制動モードにおける摩擦力の調整はドラグ調節ツマミ３４を通じて行う。
【００２５】
したがって、本実施形態の魚釣用リール１０によると、同じリール１０およびスプール２２を用いて、図２に示す強制動モードと図４に示す弱制動モードとに自由に切換えることができ、釣対象魚あるいは釣法等によって、強い制動力・粘りが必要とされる場合にはスプール側摩擦板４４を回り止めして強制動モードに切換え、強い制動力は必要ないが滑らかな滑り出しと釣糸張力の変動が少ない制動力が必要な場合には、スプール側摩擦板４４の回り止めを解除して弱制動モードに切換えることにより、実釣りにおける様々な状況変化に十分対応することのできるドラグ性能特性を選択することができる。
【００２６】
図６および図７は、第２の実施形態による魚釣用リール１０のドラグ装置２４を示す。なお、以下に説明する種々の実施形態は、基本的には上述の実施形態と同様であるため、同様な部位には同様な符号を付し、その詳細な説明を省略する。
この実施形態の摩擦装置３６では、スプール側摩擦板４４はその耳部４４ａをスプール２２の支持壁２１に形成した貫通孔２１ａに嵌合させることにより回り止めし、一方、支軸側摩擦板４２は、支持部材２８を通って凹部２３内に突出する固定ピン４６Ａに、内周部に形成した係止溝４３を嵌合させることにより、回り止めされている。
【００２７】
図７に示すように、本実施形態では、スプール２２を支軸２６に対して回り止めするピン２６と干渉しない位置で固定ピン４６Ａは支持部材２８の径方向に対向させて２本配置してある。また、上述の実施形態における固定ピン４６と同様に、固定ピン４６Ａの後端部に雄ねじを形成し、支持部材２８のピン孔の後端部に雌ねじを形成してある。また、支持部材２８は、この固定ピン４６Ａを挿通するため、特にスプール２２の支持壁２１を支える部位を大径に形成し、支持壁２１の装着孔および軸受３０も大径に形成してある。
【００２８】
この実施形態では、固定ピン４６Ａを介して支軸側摩擦板４２を支軸に対して回り止めした場合には、上述の実施形態と同様に３対の摩擦係合面が形成され、支軸側摩擦板４２の回り止めを解除した場合には、押圧板３８とスプール側摩擦板４４との間が摩擦係合面の対を形成し、これにより、押圧板３８と支持壁２１との間に一対の摩擦係合面が形成される。
なお、固定ピン４６Ａはその後端部が支持部材２８から突出する比較的長い寸法を有しているが、これよりも短く形成して支持部材２８から突出しない状態とすることも可能である。
【００２９】
図８から図１０は第３の実施形態による魚釣用リール１０のドラグ装置２４を示す。
本実施形態の摩擦装置３６は、第２の実施形態の支軸側摩擦板４２が支持部材２８を介して支軸２０に回り止めされることに代え、支軸側摩擦板４２を押圧板３８を介して支軸２０に回り止めしている。
【００３０】
このため、押圧板３８の内周部に近接する部位に固定ピン４６Ｂのストッパを兼ねる頭部を収容する段付き孔３８ａを形成し、固定ピン４６Ｂがこの押圧板３８の前端から突出するのを防止する。また、スプール側摩擦板４４の中央部の装着孔はこれらの固定ピン４６Ｂと干渉しない大きさに形成し、支軸側摩擦板４２には、固定ピン４６Ｂの先端部が嵌合する係止溝４１を形成してある。
【００３１】
この固定ピン４６Ｂは、支軸側摩擦板４２の係止溝４１に嵌合したときに、ドラグ調節ツマミ３４のバネ受け３５により抜けを防止することができるため、上述の実施形態における固定ピンのようにねじを設ける必要はない。また、スプール２２の全体を支軸２０から取外すことなく制動モードを切換えることができる。
固定ピン４６Ｂにより支軸側摩擦板４２を回り止めして、押圧板３８と共に支持部材２８に対して回り止めした強制動モード、および、ドラグ調節ツマミ３４を取り外し、押圧板３８に装着されている固定ピン４６Ｂを脱外することで、支持部材２８に対する支軸側摩擦板４２の回り止めを解除した弱制動モードに切換えることができ、基本機能は上述の第２の実施形態と同様である。
【００３２】
図１１から図１６は、第４の実施形態による魚釣用リール１０のドラグ装置２４を示す。
この実施形態は、第１の実施形態とほぼ同様にスプール側摩擦板４４を回り止めするもので、固定ピン４６Ｃと係合溝４５との嵌脱制御を外部からの操作で行うことが可能な制動モード切換機構を備えている。
【００３３】
本実施形態では、スプール２２の釣糸巻回胴部２２ａの内側に、支持壁２１からスカート部２２ｂに至る突部５２を形成し、この突部５２内に貫通孔２１ａを形成してある。この貫通孔２１ａは、スカート部２２ｂ側を拡径した段付き孔に形成してあり、この貫通孔２１ａの大径部内に収容した圧縮ばね５４により、固定ピン４６Ｃが、拡大頭部を介してスカート部２２ｂ側すなわち係合溝４５から脱する方向に付勢されている。
【００３４】
この固定ピン４６Ｃと係止溝４５との嵌脱を制御して強制動モードと弱制動モードとを切換える制動モード切換機構は、スカート部２２ｂ内に配置した制御リング５６を備える。この制御リング５６は、円弧状に形成した複数の長孔５８を有し、スプール２２のスカート部２２ｂ内で後方に向けて延びる支持ピン２５をこれらの長孔５８に挿通させて抜け止めすることで、このスカート部２２ｂ内に支えられている。このため、制御リング５６は、長孔５８の長さ分だけ周方向に移動することができる。また、スカート部２２ｂには、制御リング５６の外周部から突出した指掛部５７を挿通するガイド溝６０を形成してあり、このガイド溝６０から突出する指掛部５７を通じて制御リング５６を周方向に沿って移動することができる。
【００３５】
この制御リング５６は、固定ピン４６Ｃに対向する側に、この制御リング５６と一体的に移動するカム部材６２を有する。このため、制御リング５６の回転に伴ってカム部材６２が回転すると、固定ピン４６Ｃの頭部と接触するカム部材６２のカム面の作用により、図１１から図１３に示すように、固定ピン４６Ｃがスプール側摩擦板４４の係止溝４５に嵌合する位置（強制動モード）と、図１４から図１６に示すように、固定ピン４６Ｃがスプール側摩擦板４４の係止溝４５から脱した位置（弱制動モード）との間を移動することができる。
【００３６】
摩擦装置３６が強制動モードにあるか、あるいは、弱制動モードにあるかは、この制動モード切換機構の制御リング５６の指掛部５７の位置から容易に確認することができる。
【００３７】
なお、上述の実施形態における制動モード切換機構のように、スプール側摩擦板４４の固定を解除する固定ピン４６Ｃの移動を制御することに代え、支軸側摩擦板４２の固定を解除する固定ピン４６Ａ，４６Ｂの移動を制御することで制動モードを切換えることも可能である。また、支軸側摩擦板４２とスプール側摩擦板４４とをそれぞれ複数枚配置した場合には、複数のスプール側摩擦板４４の回り止めを解除可能とすることにより、更に制動モードを細かく区分けすることができる。
【００３８】
【発明の効果】
以上明らかなように、本発明によると、同じリールおよびスプールを用いて、実釣りにおける様々な状況変化に十分対応することのできるドラグ性能特性を選択可能とした魚釣用リールを提供することができる。
【図面の簡単な説明】
【図１】本発明の第１の実施形態による魚釣用リールの説明図。
【図２】図１の魚釣用リールを強制動モードに配置したスプールの内部構造を示す拡大図。
【図３】図２のＡ−Ａ線に沿う断面図。
【図４】図１の魚釣用リールを弱制動モードに配置した図２と同様な拡大図。
【図５】図４のＢ−Ｂ線に沿う断面図。
【図６】第２の実施形態による魚釣用リールの図２と同様な拡大図。
【図７】図６のＣ−Ｃ線に沿う断面図。
【図８】第３の実施形態による魚釣用リールの図２と同様な断面図。
【図９】図８のＤ−Ｄ線に沿う断面図。
【図１０】図８のＥ−Ｅ線に沿う断面図。
【図１１】第４の実施形態による魚釣用リールを強制動モードに配置した状態の図２と同様な断面図。
【図１２】図１１のスプールの一部を欠截して示す概略図。
【図１３】図１１の魚釣用リールの制御リングの配置を示す説明図。
【図１４】図１１の魚釣用リールを弱制動モードに配置した状態の説明図。
【図１５】図１４のスプールの一部を欠截して示す概略図。
【図１６】図１４の魚釣用リールの制御リングの配置を示す説明図。
【符号の説明】
１０…魚釣用リール、１２…本体、２０…支軸、２２…スプール、２３…凹部、２４…ドラグ装置、３６…摩擦装置、３８…押圧板、４２…支軸側摩擦板、４４…スプール側摩擦板、４５…係止溝、４６…固定ピン。
【図１】
2004298006.tif 000003
【図２】
2004298006.tif 000004
【図３】
2004298006.tif 000005
【図４】
2004298006.tif 000006
【図５】
2004298006.tif 000007
【図６】
2004298006.tif 000008
【図７】
2004298006.tif 000009
【図８】
2004298006.tif 000010
【図９】
2004298006.tif 000011
【図１０】
2004298006.tif 000012
【図１１】
2004298006.tif 000013
【図１２】
2004298006.tif 000014
【図１３】
2004298006.tif 000015
【図１４】
2004298006.tif 000016
【図１５】
2004298006.tif 000017
【図１６】
2004298006.tif 000018